(57)【特許請求の範囲】
【請求項１】
パチンコ機から排出されるパチンコ玉を受け入れる排出パチンコ玉受皿および前記排出パチンコ玉受皿が受け入れたパチンコ玉を流下させる玉流路を備え、前記玉流路を流下したパチンコ玉をパチンコ玉回収装置に排出するアウト玉タンクにおいて、
前記排出パチンコ玉受皿から案内されたパチンコ玉の特性を検知して、前記検知した特性を記憶部に記憶されている特性と比較することにより、当該パチンコ玉が特定であるか非特定であるかを識別する玉識別装置と、
前記特定のパチンコ玉と前記非特定のパチンコ玉とを分別する玉分別装置と、
前記排出パチンコ玉受皿から案内されたパチンコ玉を計数する第１の玉計数装置と、
前記玉分別装置によって分別された前記非特定のパチンコ玉を計数する第２の玉計数装置と、を備えた
ことを特徴とするアウト玉タンク。
【発明の詳細な説明】
【技術分野】
【０００１】
本発明は、パチンコ機の背面側の取付ベース上に配設され、パチンコ機から排出されるアウト玉、セーフ玉等のパチンコ玉を受け入れて、これをパチンコ玉回収装置に排出するためのアウト玉タンクに関する。
【背景技術】
【０００２】
特許文献１には、パチンコ機から排出されるパチンコ玉を受け入れて、パチンコ島に設置されているパチンコ玉回収装置に排出するためのアウト玉タンクについて開示されている。
【０００３】
しかしながら、遊技客が他店舗で使用されているパチンコ玉等の非特定のパチンコ玉を持ち込み、非特定のパチンコ玉を遊技に使用したりするなどの不正行為がある。このような不正行為は、パチンコ店の売り上げに影響を及ぼしてしまう。
【先行技術文献】
【特許文献】
【０００４】
【特許文献１】特開平９−１５５０３４号公報
【発明の概要】
【発明が解決しようとする課題】
【０００５】
しかし、特許文献１をはじめとして、非特定のパチンコ玉を用いた不正行為を検出する有効な方法は知られていない。
【０００６】
そこで、本発明は、パチンコ機などの遊技機になされる、非特定のパチンコ玉に関する不正行為を検出することを目的とする。
【課題を解決するための手段】
【０００７】
前記目的を達成するため、本発明のアウト玉タンクは、玉計数装置にパチンコ玉を案内する排出シュートに、パチンコ玉を識別する玉識別装置と、特定のパチンコ玉と非特定のパチンコ玉とを分別する玉分別装置とを備えたことを特徴とする。
詳細は、後記する。
【発明の効果】
【０００８】
本発明によれば、パチンコ機などの遊技機になされる、非特定のパチンコ玉に関する不正行為を検出することができる。
【図面の簡単な説明】
【０００９】
【図１】アウト玉タンクと排出シュートならびに玉計数機、玉計数機保持枠との組立関係を示した斜視図である。
【図２】同分解斜視図である。
【図３】アウト玉タンクを構成する排出パチンコ玉受皿を示した斜視図である。
【図４】同パチンコ玉排出樋を示した斜視図である。
【図５】同内筒を示した斜視図である。
【図６】同取付ベースを示した斜視図である。
【図７】排出シュートを示した斜視図である。
【図８】玉計数機の概略を示した斜視図である。
【図９】玉計数機保持枠を示した斜視図である。
【発明を実施するための形態】
【００１０】
以下、本発明を実施するための形態（以下、「実施形態」という。）について、図面を参照しながら説明する。
【００１１】
≪アウト玉タンクの構成≫
図１は、アウト玉タンクと排出シュートならびに玉計数機、玉計数機保持枠との組立関係を示した斜視図、図２は、同分解斜視図、図３は、アウト玉タンクを構成する排出パチンコ玉受皿を示した斜視図、図４は、同パチンコ玉排出樋を示した斜視図、図５は、同内筒を示した斜視図、図６は、同ベース部材を示した斜視図、図７は、排出シュートを示した斜視図、図８は、玉計数機の概略を示した斜視図、図９は、玉計数機保持枠を示した斜視図である。
【００１２】
本実施形態のアウト玉タンク１は、図１に示すように、排出パチンコ玉受皿１０と、該排出パチンコ玉受皿１０を前後方向（パチンコ機に接近する方向が「前」、離れる方向が「後」とする）にスライド可能に支持しているパチンコ玉排出樋２０と、パチンコ玉排出樋２０の裏面に一体に設けられた外筒３０と、外筒３０に内嵌する内筒４０と、内筒４０を左右方向にスライド可能に支持する取付ベース５０とで構成されている。尚、外筒３０と内筒４０ならびに取付ベース５０を総称して調整部材と呼ぶ。
【００１３】
排出パチンコ玉受皿１０は、図１〜図３に示すように、中央部に後方向（排出シュート６０方向）に下り傾斜した中央底面１１が形成されていて、該中央底面１１の両側には、パチンコ玉受面１２が連接されている。そして、中央底面１１とパチンコ玉受面１２の前方（支持部材へ取付た状態でパチンコ機側）には、前壁１３が立設されている。また、パチンコ玉受面１２の周囲には、前壁１３と接続した側壁１５と後壁１６ならびに中央底面１１とパチンコ玉受面１２の連接部分に立設された境壁１７が設けられている。尚、側壁１５と後壁１６ならびに境壁１７を総称して周壁と称する。また、この周壁の境壁１７と中央底面１１とパチンコ玉受面１２の連接縁と前壁１３との接点部分Ｐにかけては、切欠部１４が形成されている。そして、このパチンコ玉受面１２は、後壁１６から前壁１３方向に下り傾斜に、側壁１５から切欠部１４方向に下り傾斜するように形成されている。即ち、パチンコ玉受面１２において、前述の接点部分Ｐが一番低くなる（前壁１３に対して最も深く）ように傾斜が形成されている。また、この排出パチンコ玉受皿１０の裏面には、パチンコ玉排出樋２０にスライド可能に嵌合する弾性嵌合爪１８（図２参照）が設けられている。尚、排出パチンコ玉受皿１０には、排出され落下してくるパチンコ玉の衝撃による衝撃音や跳ね返りによる外部への飛び出しなどを軽減するために、樹脂パットなどの敷物を敷設するのが一般的である。
【００１４】
パチンコ玉排出樋２０は、図１、図２ならびに図４に示すように、排出通路２１と該排出通路２１と一体に成型された排出シュート取付枠２６ならびに調整部材である外筒３０により構成されている。
【００１５】
前述の排出通路２１は、パチンコ玉の排出方向に下り傾斜した傾斜面２２と該傾斜面２２の両側縁に立設された両側壁２３と前縁に立設された前壁２４ならびに両側壁２３の外側に設けられたスライド係合部２５とを備えている。
【００１６】
この排出通路２１の傾斜面２２の幅（両側壁２３の間隔）は、前述した排出パチンコ玉受皿１０の中央底面１１の幅より若干幅広に設定されている。即ち、排出パチンコ玉受皿１０を排出通路２１に組付けた時に、中央底面１１の開口１１１が両側壁２３の間に挿入することができるように設定されている。そして、排出通路２１の傾斜面２２と両側壁２３の間に挿入された排出パチンコ玉受皿１０の中央底面１１との間は、パチンコ玉が前壁２４方向に流れない高さに設定されている。従って、前壁２４を省略してもパチンコ玉が排出通路２１の前方から漏れるようなことはない。本実施形態では、前壁２４を形成しているが、この前壁２４を省略して構成の簡略化を図ることもできる。
【００１７】
両側壁２３の外側に設けられたスライド係合部２５は、側壁２３の前後部分に垂直方向に伸びた一対の垂直板２５１とその垂直板２５１を繋ぐ水平板２５２を設け、該側壁２３と水平板２５２との間に弾性嵌合爪１８のスライド溝２５３を画成している。また、水平板２５２の内側には、前述の弾性嵌合爪１８の先端に形成された爪１８１がスライド可能に係合する係合溝２５４が形成されている。この係合溝２５４の内部には、図示しないが一般的に用いられている凹凸が形成され、排出パチンコ玉受皿１０を前後に動かすと、弾性嵌合爪１８と凹凸とが係合して所望の位置に止めることができる。
【００１８】
排出シュート取付枠２６は、排出通路２１の後方に形成された玉排出口２１１側に前記の排出通路２１と一体に成型されている。この排出シュート取付枠２６は、排出通路２１の両側壁２３の玉排出口２１１側端縁から外方（以下、左右方向とする）に伸びた前板２７とこの前板２７と対向して間隔を空けて形成された後板２８と前板２７と後板２８との間に画成された取付空隔２９とを備えている。また前板２７と後板２８とはその両端部分を架設橋２６１で接続されている。そして、後板２８の取付空隔２９側には、玉排出口２１１の幅と略同幅の嵌合突壁２８１が突設されている。一方、前板２７の下縁には、架設橋２６１との接続位置に対向する位置に下方に延設された一対の排出シュート係止片２７１が設けられている。この排出シュート係止片２７１の先端側は、取付空隔２９側に折曲され、後述する排出シュート６０の下方向の移動を規制する当接片２７２が形成されている。この当接片２７２は、いずれも後述する排出シュート６０の底壁６３の傾斜に対応できるように左右方向に下り勾配に形成されている。
【００１９】
外筒３０は、図１、図２ならびに図４に示すように、後述する内筒４０と取付ベース５０とで調整部材を構成するもので、パチンコ玉排出樋２０の排出通路２１裏面から下方向に突設されている。
【００２０】
外筒３０は、後壁３１と前壁３２ならびに両側壁３３を形成するとともに、排出通路２１裏面を天井として、下方が開放された全体として矩形の箱状をなしている。そして、後壁３１の下縁には、切欠凹部３１１が形成されている。
【００２１】
また、外筒３０の両側壁３３には、弾性係合片３４が設けられている。この弾性係合片３４は、両側壁３３の各々の下縁から上方に形成された２本の溝の間に形成された弾性係合片本体３４１と、該弾性係合片本体３４１を途中から左右方向（外方）に折曲して形成された把持片３４２と、該弾性係合片本体３４１と把持片３４２の折曲部の裏面に下方に延設された前述の弾性係合片本体３４１より幅狭の係止片３４３が設けられている。この係止片３４３の先端には、両側壁３３の内方に突出した係止爪３４４が突設されている。
【００２２】
内筒４０は、図１、図２ならびに図５に示すように、外筒３０の内側に嵌合されるもので、後壁４１と前壁４２と両側壁４３を有する若干小さめの箱形状に形成されている。この内筒４０の後壁４１と前壁４２の下縁には、各々の下縁から上方に形成された２本の溝４４の間に形成された嵌合係止片４５が形成されている。そして、嵌合係止片４５の先端には、後方向に突出した嵌合爪４５１が突設されている。
【００２３】
また、内筒４０の両側壁４３（左右の壁）には、内筒４０の高さ方向に複数の係止孔４３１が形成されている。そして、これらの係止孔４３１の両側に沿ってガイド壁４３２が突設されている。
【００２４】
更に、この内筒４０の下方開口４６には、両側壁４３（左右の壁）の下縁から開口４６の内方に突出した弾性片４３３が設けられている。この弾性片４３３の先端には、下方に突出した係合爪４３４が形成されている。
【００２５】
取付ベース５０は、図１、図２ならびに図６に示すように、前述の外筒３０と内筒４０とともに調整部材を構成するものであって、パチンコ機の背面に設けられた支持部材（図示しない）に固定されるものである。
【００２６】
この取付ベース５０は、左右方向に長い長矩形の板状を成している。そして、前後方向中央には、左右方向に長い２本のスライド溝５１が間隔をあけて形成されている。このスライド溝５１の間には、内筒４０をスライド可能に載置するスライド底壁５２が設けられている。そして、スライド底壁５２には、左右方向に間隔をおいて複数の係止桟５３が形成されている。一方、スライド溝５１の外側（前後方向）の側壁には、内筒４０に形成されている嵌合係止片４５の嵌合爪４５１が嵌合する摺動溝５４が設けられている。
【００２７】
排出シュート６０は、図１、図２ならびに図７に示すように、パチンコ玉排出樋２０と一体に設けられた排出シュート取付枠２６の取付空隔２９に配設されるものであって、各部分構成は、左右長手方向中心線を中心として前後線対称に形成されている。なお、図７において、玉識別装置６６２および玉分別装置６６３が明瞭に視認できるように後壁６２の一部を切除している。
【００２８】
この排出シュート６０は、前壁６１と、この前壁６１に対して間隔をあけて形成された後壁６２と、この前壁６１と後壁６２の下縁を繋ぎ、パチンコ玉の排出方向（右から左方向）に下り傾斜した底壁６３と、前壁６１と後壁６２の右端を閉じるようにして形成された右壁６４と、左端を閉じるように形成された半円弧状の左壁６５と、それらの壁で画成され、玉流路を構成するパチンコ玉通路６６とを有する長矩形の箱形状を成している。そして、この半球状の左壁６５側の底壁６３には、パチンコ玉の排出孔６３１と左壁６５の内側から排出孔６３１の上方まで延びた傾斜壁６５１が延設されている。更に、このパチンコ玉通路６６の下り傾斜した底壁６３の途中には、前壁６１と後壁６２とに揺動可能に枢支されたパチンコ玉の整流振子６６１が形成されている。一方、その前壁６１と後壁６２には、各々対向した位置に前記排出通路２１の玉排出口２１１に対面する凹形状の切欠開放部６７を形成するとともに、右壁６４側下縁に排出シュート係止片２７１に当接する係止突起６８を垂設している。尚、右壁６４には、コネクター７１の保持部６４１が設けられている。
【００２９】
更に、排出シュート６０の前壁６１と後壁６２の左壁６５側には、各々玉計数機保持枠８０を微揺動可能に支持する嵌合支持枠６９が設けられている。そして、この嵌合支持枠６９の前枠６９１の上面は半円弧状に形成されている。一方、底壁６３の左壁６５側には、パチンコ玉の排出孔６３１が形成されている。
【００３０】
更に、このパチンコ玉通路６６の下り傾斜した底壁６３の途中であって、切欠開放部６７の左方向側（下流側）であり、排出孔６３１の右方向側（上流側）には、玉識別装置６６２および玉分別装置６６３が配設されている。本実施形態では、このパチンコ玉通路６６の上流側から順に、玉識別装置６６２、玉分別装置６６３および玉計数機（玉計数装置）７０が配設されている。これらの装置の説明については、後記する。
【００３１】
玉計数機７０は、図１、図２ならびに図８に示すように、一端にパチンコ玉が通過する筒部７２を設けた矩形状をなしていて、内部に計数センサ（図示しない）を収納している。この筒部７２には、パチンコ玉排出用の螺旋管９０が接続されている。パチンコ玉が螺旋管９０を通過するとき、パチンコ玉に付着したゴミや汚れが落とされ、パチンコ玉が洗浄および研磨される。
【００３２】
玉計数機７０には、筒部７２を通過するパチンコ玉をそれぞれ検知して計数する計数センサが配設されている。計数センサには、透過型や反射型のフォトセンサのほか、パチンコ玉が通過する際に玉計数機７０内のコイルに生じるインダクタンスの変化を電気的に検知して計数する近接センサなどが使用される。
【００３３】
玉計数機７０は、パチンコ店のホールコンピュータと通信可能に接続されており、玉計数機７０によるパチンコ玉の計数の結果がホールコンピュータに送信される。ホールコンピュータは、少なくとも入力部、記憶部（例：ＲＯＭ（Read Only Memory）、ＲＡＭ（Random Access Memory））、制御部（例：ＣＰＵ（Central Processing Unit））、出力部といったハードウェア資源を備えており、玉計数機７０の計数の結果を前記制御部により管理することができるプログラムを前記記憶部に記憶している。
【００３４】
玉計数機保持枠８０は、図１、図２ならびに図９に示すように、左側方と上方が開放された箱状の収納本体８１と、該収納本体８１の左側方上部から外方に延設された一対の係止片８２と、左側方上部から上方に延設された一対の揺動片８３を備えている。係止片８２の先端には、内方に突出した爪８２１が突設されており、揺動片８３の先端側には、円筒の枢支軸８３１が外方に突設されている。
【００３５】
≪組付状態≫
次に、前述した各構成部品の組付状態について説明する。まず、取付ベース５０の上面に内筒４０をスライド可能に取り付ける。内筒４０の後壁４１と前壁４２の下縁に形成された嵌合係止片４５を取付ベース５０のスライド溝５１から押し込み摺動溝５４に勘合させる。このときに、内筒４０の弾性片４３３が取付ベース５０の係止桟５３に係合する。この状態で内筒４０を取付ベース５０上で強制的にスライドさせると、弾性片４３３と係止桟５３との係合が解除され内筒４０が移動して、所望の位置で再度弾性片４３３と係止桟５３とが係合され、その位置に固定される。これにより、アウト玉タンク１の左右位置調整を行うことができる。
【００３６】
次に、内筒４０に外筒３０を組付ける。即ち、パチンコ玉排出樋２０を内筒４０に組付ける。まず、外筒３０の前壁３２を内筒４０の前壁４２の外側に当接させるようにして、外筒３０を上方から内筒４０に被せる。このとき、外筒３０に形成されている弾性係合片３４の把持片３４２を持ち上げて係止片３４３を広げておく。そして、弾性係合片３４の両側の溝を内筒４０のガイド壁４３２に嵌合させた状態で外筒３０を内筒４０に嵌合させ、任意の位置で把持片３４２を元に戻し、係止爪３４４を係止孔４３１に係合させ、高さを調整する。これにより、アウト玉タンク１の上下位置調整を行うことができる。
【００３７】
次に、パチンコ玉排出樋２０と排出パチンコ玉受皿１０との組付けは、パチンコ玉排出樋２０の両側壁２３に形成したスライド係合部２５に排出パチンコ玉受皿１０に形成した弾性嵌合爪１８を嵌合することによって成される。このときに、排出パチンコ玉受皿１０の中央底面１１の開口１１１部分がパチンコ玉排出樋２０の両側壁２３の間に入り込み、中央底面１１の開口１１１部分とパチンコ玉排出樋２０の傾斜面２２との間（上下方向）をパチンコ玉が通過しないような間隔に組付けられる。
【００３８】
一方、パチンコ玉排出樋２０に形成されている排出シュート取付枠２６の取付空隔２９の内部に配設される排出シュート６０には、先に、玉計数機７０と玉計数機保持枠８０が組み付けられる。
【００３９】
先ず、玉計数機７０を玉計数機保持枠８０の収納本体８１の上方開放部分から内部に挿入して、係止片８２で収納本体８１内部に係止保持する。次に、玉計数機７０を保持した玉計数機保持枠８０を排出シュート６０に組付ける。
【００４０】
玉計数機保持枠８０と排出シュート６０の組付けは、該玉計数機保持枠８０の収納本体８１の左側方上部から上方に延設された揺動片８３を撓ませながら排出シュート６０の前壁６１と後壁６２に形成されている嵌合支持枠６９に挿入して、撓みを復元させることによって排出シュート６０に組付ける。このとき排出シュート６０の底壁６３が右壁６４方向から左壁６５方向に下り傾斜している関係で玉計数機保持枠８０の収納本体８１上端と底壁６３との間に若干の隙間が生じる。一方、嵌合支持枠６９に挿入された揺動片８３は、該揺動片８３に形成された円筒（半円でも可）の枢支軸８３１がこの嵌合支持枠６９の上面を半球状に形成した前枠６９１に枢支される。このため、玉計数機保持枠８０は、収納本体８１上端と底壁６３との間に生じた若干の隙間の分だけ微揺動することが可能に軸止されていることになる。
【００４１】
最後に、玉計数機７０と玉計数機保持枠８０を組付けた排出シュート６０をパチンコ玉排出樋２０に設けられた排出シュート取付枠２６の取付空隔２９内に組付ける。この組付けは、排出シュート６０に形成した切欠開放部６７が排出シュート取付枠２６の取付空隔２９内に突出した嵌合突壁２８１が嵌合するように排出シュート取付枠２６の下方から取付空隔２９内に圧入する。このとき、排出シュート６０の前壁６１と後壁６２ならびに排出シュート取付枠２６が若干撓むことによって押し込まれる。そして、取付空隔２９内の押し込まれた排出シュート６０は、切欠開放部６７と嵌合突壁２８１の嵌合により左右方向の動きが規制され、架設橋２６１と排出シュート係止片２７１で上下方向の動きが規制される。これらの規制により、排出シュート６０は、排出シュート取付枠２６に確実に保持される。尚、これらの組付手順は、適宜変更することも可能である。
【００４２】
≪パチンコ玉の流れ≫
次に、パチンコ機から排出されたパチンコ玉の流れについて説明する。先ず、玉計数機７０と玉計数機保持枠８０を組付けた状態の排出シュート６０を組付けたところのアウト玉タンク１を遊技機（パチンコ機）の背面に設けられている支持部材（図示しない）に固定する。その後に、遊技機（パチンコ機）の排出位置に対して、内筒４０を左右にスライドさせて左右の位置を調整し、更に、内筒４０に対して、外筒３０を上下に移動させて排出位置との高さ方向の位置を調整する。最後にパチンコ玉排出樋２０に対して排出パチンコ玉受皿１０を排出位置に対して、前後に移動させ前後方向の位置を調整する。
【００４３】
遊技機（パチンコ機）の排出位置に対して位置調整が終了したアウト玉タンク１にパチンコ機から排出されたパチンコ玉が流下すると、まず、該パチンコ玉は、排出パチンコ玉受皿１０に落下する。そして、排出パチンコ玉受皿１０の中央底面１１上に落下したパチンコ玉は、そのまま、中央底面１１の傾斜によって開口１１１から排出通路２１に流出して排出シュート６０に至る（図３矢印ａ）。排出パチンコ玉受皿１０のパチンコ玉受面１２上に落下したパチンコ玉のうち、比較的中央底面１１側に落下したパチンコ玉は、パチンコ玉受面１２の中央底面１１方向への傾斜に沿って中央底面１１に流出する（図３矢印ｂ）。また、比較的外方（側壁１５）に近い位置に落下したパチンコ玉は、パチンコ玉受面１２と中央底面１１の接点部分（交点）Ｐ（中央底面１１の最も奥の部分）方向に向かって流れる（図３矢印ｃ）。このように、排出パチンコ玉受皿１０に落下したパチンコ玉は、一方方向の流れに集中することなく複数の方向からパチンコ玉排出樋２０の形成された排出通路２１に流出する。
【００４４】
排出通路２１に流出したパチンコ玉は、玉排出口２１１および切欠開放部６７を通過して、排出シュート６０のパチンコ玉通路６６に落下し、左方向に流れる。左方向に流れたパチンコ玉は、玉識別装置６６２内を通過する。
【００４５】
玉識別装置６６２は、パチンコ玉排出樋２０から案内されたパチンコ玉が特定のパチンコ玉であるか非特定のパチンコ玉であるかを識別する。玉識別装置６６２には、通過するパチンコ玉をそれぞれ検知して識別する識別センサが、パチンコ玉通路６６に配設されている。識別センサには、光電センサ、磁気センサ、通電センサ、画像センサ等が使用され、パチンコ玉の刻印、色、材質などの特性が特定されることで、パチンコ玉が識別される。玉識別装置６６２は、比較元となるパチンコ玉の特性（閾値）を記憶する記憶部を有している。パチンコ玉排出樋２０から案内されたパチンコ玉の識別を行うときは、玉識別装置６６２は識別対象のパチンコ玉の特性を抽出し、記憶部に記憶されている特性と比較する。
【００４６】
なお、パチンコ玉が特定であるとは、そのパチンコ玉が自店舗で使用するように取り決められたという意味だけでなく、自店舗内に設置された所定のパチンコ機だけに使用するように取り決められたという意味も含まれる。したがって、他店舗で使用されるパチンコ玉は非特定であるのは勿論のこと、自店舗で使用される複数種類のパチンコ玉であっても、自店舗内の所定のパチンコ機に使用するように取り決められたパチンコ玉のみが特定となり、残りは（そのパチンコ機にとっては）非特定となる。
【００４７】
なお、自店舗内で使用されるパチンコ玉が複数種類存在するのは、主に、貸し出し単価（現金をパチンコ玉に交換する交換率）および景品交換レート（パチンコ玉を景品に交換する交換率）が異なるように設定したパチンコ玉が使用されていることによる。このような複数種類のパチンコ玉は、例えば、以下に示すような方法で種類分けされ、その種類が前記識別センサを用いて識別される。他店舗のパチンコ玉に関しても同様に識別される。
【００４８】
（１）複数種類のパチンコ玉に異なる色を施す。例えば、パチンコ玉Ｂ１の色を銀、パチンコ玉Ｂ２の色を金、パチンコ玉Ｂ３の色を黒とする。識別センサとしては、光の反射率に基づいて色を検出する反射型の光学センサ等を用いる。
（２）複数種類のパチンコ玉に異なる模様を施す。例えば、パチンコ玉Ｂ１の模様を水玉、パチンコ玉Ｂ２の模様をチェックとする。識別センサとしては、反射型の光学センサやＣＣＤ（Charge Coupled Device）等の画像センサを用い、その検出信号に基づいて模様を認識する。なお、画像センサによるパチンコ玉の識別では、例えば、玉識別装置６６２またはホールコンピュータが記憶する基準画像（テンプレート）を用いたパターンマッチングが行われる。テンプレートとしては、例えば、自店舗のあるパチンコ機に特定に使用されるパチンコ玉の画像を用いると良い。
（３）複数種類のパチンコ玉に異なる刻印を施す。例えば、パチンコ玉Ｂ１の刻印を１本線、パチンコ玉Ｂ２の刻印を２本線とする。識別センサとしては、反射型の光学センサやＣＣＤ等の画像センサを用い、その検出信号に基づいて刻印を認識する。
（４）複数種類のパチンコ玉に異なる材質のコーティング（メッキを含む）を施す。例えば、パチンコ玉Ｂ１の表面をチタンコーティング、パチンコ玉Ｂ２の表面を金メッキとする。識別センサとしては、光の反射率に基づいて表面の材質を検出する反射型の光学センサ、渦電流損や透磁率に基づいて表面の材質を検出する磁気センサ、抵抗値に基づいて表面の材質を検出する通電センサ等を用いる。
（５）複数種類のパチンコ玉に発信周波数または発信信号パターンが異なる識別チップを埋め込む。識別チップは、電磁誘導によって自己発電し、所定の信号を発信する非接触タイプのもので、例えば、パチンコ玉Ｂ１にＡ信号を発信する識別チップ、パチンコ玉Ｂ２にＢ信号を発信する識別チップを埋め込む。識別センサとしては、電磁誘導のための磁界を発生させ、且つ、識別チップの発信信号を受信可能な非接触通信モジュール等を用いる。
【００４９】
玉識別装置６６２は、パチンコ店のホールコンピュータと通信可能に接続されており、玉識別装置６６２によるパチンコ玉の識別の結果がホールコンピュータに送信される。ホールコンピュータは、玉識別装置６６２の識別の結果を制御部により管理することができるプログラムを記憶部に記憶している。
【００５０】
玉識別装置６６２内を通過したパチンコ玉は、玉分別装置６６３内を通過する。
玉分別装置６６３は、パチンコ玉排出樋２０から案内されたパチンコ玉から特定および非特定のパチンコ玉を分別する。玉分別装置６６３には、通過するパチンコ玉をパチンコ玉通路６６の外へ案内するように、パチンコ玉通路６６の一部を回動するヒンジ６６４が配設されている。玉分別装置６６３は、ヒンジ６６４を回動する不図示のアクチュエータを備えている。
【００５１】
玉分別装置６６３は、パチンコ店のホールコンピュータと通信可能に接続されており、ホールコンピュータからヒンジ６６４を回動する指令を受信する。ホールコンピュータは、玉識別装置６６２の識別の結果に応じて、当該パチンコ玉が特定であるか非特定であるかを判定する。そして、非特定と判定したパチンコ玉に関しては、ヒンジ６６４を回動するように玉分別装置６６３に指令を送信し、当該パチンコ玉をパチンコ玉通路６６の外に案内する。特定と判定したパチンコ玉に関しては、その特定のパチンコ玉を排出孔６３１に案内するようにヒンジ６６４を制御する。なお、玉分別装置６６３は、ホールコンピュータの指令を介することなく、玉識別装置６６２から識別の結果を受信し、その結果に応じてヒンジ６６４を制御してパチンコ玉の分別を行うようにしても良い。その分別の結果をホールコンピュータに送信し、ホールコンピュータにその結果を管理させるようにしても良い。なお、玉分別装置６６３は、例えば玉識別装置６６２からの識別の結果や、ホールコンピュータからの指令を記憶する記憶部を備えている。
【００５２】
玉識別装置６６２、玉分別装置６６３および玉計数機７０により、アウト玉タンク１に落下し、排出シュート６０に案内されたパチンコ玉は、最終的には排出シュート６０に形成されている排出孔６３１から玉計数機７０の筒部７２を通過して外部に特定玉Ｐ１としてパチンコ島のパチンコ玉回収装置に排出されて回収されるか、または玉分別装置６６３によって分別されたことによる別の排出孔（不図示）から、非特定玉Ｐ２としてパチンコ島のパチンコ玉回収装置に排出されて回収される。
【００５３】
本実施形態では、玉計数機７０は、パチンコ玉通路６６を通過するパチンコ玉のうち排出孔６３１から落下したものを特定のパチンコ玉として計数し、遊技者による遊技の役目を終えたパチンコ玉数の一部として計数している。そして、玉分別装置６６３で分別した非特定のパチンコ玉も計数する。例えば、パチンコ玉通路６６から分別された非特定のパチンコ玉の分別先に玉計数機７０と同等の機能を有する玉計数機を配設し、その玉計数機が分別された非特定のパチンコ玉を計数する。その計数の結果はホールコンピュータに送信され、ホールコンピュータにて管理される。よって、排出孔６３１から落下した特定のパチンコ玉の数に非特定のパチンコ玉の数を足し合わせることにより、遊技者による遊技の役目を終えたパチンコ玉の総数が算出される。もし、不正行為の影響を排除するのであれば、排出孔６３１から排出された特定のパチンコ玉の数を遊技の役目を終えたパチンコ玉の数とすると良い。
【００５４】
玉分別装置６６３にて分別された所定時間内の非特定のパチンコ玉の数を算出する場合において、ホールコンピュータにて、その数が異常に多いと判断したときは、その時間帯で行っている遊技者は、非特定のパチンコ玉を用いた不正行為を行っていると推定することができる。その場合には、監視体制を強化するか、警告表示をする等して不正行為を防止するように対処すると良い。
【００５５】
≪まとめ≫
以上の説明から、本実施形態によれば、パチンコ機から排出されたパチンコ玉を受け入れてこれをパチンコ玉回収装置に排出するアウト玉タンクにおいて、パチンコ玉の識別および非特定玉の分別を行うので、パチンコ機などの遊技機になされる、非特定のパチンコ玉に関する不正行為を検出することができる。その結果、非特定のパチンコ玉に起因するパチンコ店の売り上げの影響を排除することができる。
【００５６】
≪その他≫
なお、上記形態は、本発明の好適な実施形態の一つであって、その実施形式はこれに限定されるものではなく、本発明の要旨を変更しない範囲内において実施形式を種々変形することが可能である。
【００５７】
例えば、パチンコ玉通路６６に沿って配設される玉計数機７０、玉識別装置６６２および玉分別装置６６３の配設位置は、非特定のパチンコ玉の識別および分別が機能する範囲内で設計変更することが可能である。具体的には、排出シュート６０において、上流側から玉計数機７０、玉識別装置６６２、玉分別装置６６３の順に配設しても良い。この場合、玉計数機７０は、分別前のすべてのパチンコ玉を計数することになる。そのように計数したすべてのパチンコ玉の数を遊技者が遊技をすることにより役目を終えたパチンコ玉の数として処理しても良い。ただ、玉分別装置６６３により分別された非特定のパチンコ玉を計数する玉計数装置（玉計数機７０と同等の機能）を分別先に配設し、その玉計数装置が計数した非特定のパチンコ玉の数を減算した数を遊技者が遊技をすることにより役目を終えたパチンコ玉の数として処理しても良い。
【００５８】
また、排出シュート６０において、上流側から玉識別装置６６２、玉計数機７０、玉分別装置６６３の順に配設しても良い。この場合、玉計数機７０は、玉識別装置６６２の識別の結果に関わらずパチンコ玉通路６６のすべてのパチンコ玉を計数するように処理しても良い。また、識別の結果、特定と判定されたパチンコ玉だけ計数するように処理しても良い。また、非特定と判定されたパチンコ玉の数も計数するよう処理しても良い。
【００５９】
また、玉識別装置６６２は、排出パチンコ玉受皿１０に配設しても良い。また、排出パチンコ玉受皿１０をパチンコ玉の識別の対象領域とするように玉識別装置６６２を配設しても良い。例えば、前壁１３、側壁１５、後壁１６の所定の領域またはパチンコ機の裏側にＣＣＤ等の画像センサを配設し、排出パチンコ玉受皿１０へ落下したパチンコ玉群を上方または斜め上方から撮影して、特定または非特定のパチンコ玉を一度に所定の時間間隔で撮影するようにしても良い。また、玉識別装置６６２を配設する場所をパチンコ玉排出樋２０としても良いし、排出パチンコ玉受皿１０およびパチンコ玉排出樋２０の両方としても良い。
【００６０】
また、玉識別装置６６２、玉計数機７０、玉分別装置６６３の少なくとも一つを排出パチンコ玉受皿１０またはパチンコ玉排出樋２０のいずれかまたは両方に配設するようにしても良い。この場合、排出パチンコ玉受皿１０またはパチンコ玉排出樋２０にはパチンコ玉を一列に並べるようにする玉分離板を立設することが好ましい。また、玉分別装置６６３による別の玉流路を排出パチンコ玉受皿１０またはパチンコ玉排出樋２０に設けることが好ましい。また、玉分離板を立設した箇所に玉識別装置６６２を配設し、転動するパチンコ玉を一列にして識別するように設計すると、識別対象であるパチンコ玉の特性を的確に検知することができる。
なお前述では、排出パチンコ玉受皿１０またはパチンコ玉排出樋２０にパチンコ玉を一列に並べるようにする玉分離板を立設することが好ましいとしたが、排出パチンコ玉受皿１０またはパチンコ玉排出樋２０に玉分離板を設けずに、流下するパチンコ玉群を玉識別装置６６２、例えば、ＣＣＤ等の画像センサで撮影して、特定と非特定のパチンコ玉を識別するようにしても良い。
【００６１】
また、本実施形態では、排出シュート６０のパチンコ玉通路６６によって形成される玉流路は１つであるが、玉分離板を１以上用いてその玉流路を２つ以上としても良い。玉分離板以外の部品を用いて玉流路を構成しても良い。そのような設計変更は、排出シュート６０のみに行っても良いし、排出パチンコ玉受皿１０またはパチンコ玉排出樋２０のみに行っても良いし、両方に行っても良い。また、玉識別装置６６２にてパチンコ玉を識別が行われる玉流路は複数にし、玉計数機７０にてパチンコ玉の計数が行われる流路は１つにするように玉流路を設定変更しても良い。
【００６２】
また、本実施形態では、パチンコ機を例にとったが、パロット（登録商標）にも適用可能である。
また、本実施形態の識別および分別は、パチンコ玉のみならず、スロットマシンに使用されるメダルにも適用することができ、パチンコ玉やメダルなどの遊技媒体に適用することができる。
【００６３】
その他、本発明の効果を高めるために各装置およびその部品の位置、大きさ、範囲、形状、材質、デザイン等を適宜変形することができることはいうまでもない。
【符号の説明】
【００６４】
１  アウト玉タンク
１０  排出パチンコ玉受皿
２０  パチンコ玉排出樋
２１  排出通路
３０  （矩形状）外筒
４０  （矩形状）内筒
５０  取付ベース
６０  排出シュート
６３１  排出孔
６６  パチンコ玉通路
６６１  整流振子
６６２  玉識別装置
６６３  玉分別装置
６６４  ヒンジ
７０  玉計数機（玉計数装置）
８０  玉計数機保持枠
９０  螺旋管
【図１】
0005486877.tif 000002
【図２】
0005486877.tif 000003
【図３】
0005486877.tif 000004
【図４】
0005486877.tif 000005
【図５】
0005486877.tif 000006
【図６】
0005486877.tif 000007
【図７】
0005486877.tif 000008
【図８】
0005486877.tif 000009
【図９】
0005486877.tif 000010